(57)【要約】【課題】複数の穿刺針に設けられた複数の電極（電極群）によってターゲット（対象組織）の焼灼治療を行う前に、焼灼治療が及ぶ範囲の目安を得られるようにする。【解決手段】  個々の穿刺針１８の位置情報に基づいて、生体内の空間における各電極の位置が特定される。電荷モデル定義部７０は、電極群を複数の点電荷で模擬した電荷モデルを定義する。焼灼像生成部７２は、電荷モデルに基づいて電場分布を生成し、その電場分布に対する色付け処理によりカラー焼灼像を生成する、そのカラー焼灼像がターゲットを表す画像上に合成表示される。【選択図】図１
2017131434.tif 000002
【特許請求の範囲】
【請求項１】
生体内から取得されたデータに基づいて前記生体内の組織を表した組織画像を形成する組織画像形成手段と、
前記組織を焼灼治療するための電極群を模擬した電気的なモデルに基づいて、前記電極群による焼灼治療が及ぶ範囲の目安となる焼灼像を生成する焼灼像生成手段と、
前記組織画像と前記焼灼像とからなる合成画像を表示する表示手段と、
を含む、ことを特徴とする医療システム。
【請求項２】
請求項１記載のシステムにおいて、
前記電気的なモデルは電荷モデルである、
ことを特徴とする医療システム。
【請求項３】
請求項２記載のシステムにおいて、
前記電荷モデルは、前記各電極を１又は複数の点電荷によって表現した点電荷モデルである、
ことを特徴とする医療システム。
【請求項４】
請求項３記載のシステムにおいて、
前記電極群は複数の第１電極と複数の第２電極とで構成され、
前記各第１電極が複数の正電荷によって模擬され、前記各第２電極が複数の負電荷によって模擬される、
ことを特徴とする医療システム。
【請求項５】
請求項２記載のシステムにおいて、
前記焼灼像生成手段は、
前記電荷モデルに基づいて、前記電極群の中から選択される複数の電極ペアに対応する複数の電位分布を演算する電位分布演算手段と、
前記複数の電位分布に基づいて、複数の電場分布を演算する電場分布演算手段と、
前記複数の電場分布に基づいて、合成電場分布を演算する合成電場分布演算手段と、
前記合成電場分布に基づいて、前記焼灼像を生成する手段と、
を含むことを特徴とする医療システム。
【請求項６】
請求項２記載のシステムにおいて、
前記焼灼像生成手段は、
前記電荷モデルに基づいて、前記電極群の中から選択される複数の電極ペアに対応する複数の電位分布を演算する電位分布演算手段と、
前記複数の電位分布に基づいて、複数の電場分布を演算する電場分布演算手段と、
前記複数の電場分布に基づいて、複数の焼灼像を生成する手段を含む、
ことを特徴とする医療システム。
【請求項７】
請求項１記載のシステムにおいて、
前記電極群は複数の穿刺針に設けられた複数の電極により構成され、
前記複数の穿刺針についての位置情報と前記各穿刺針上における複数の電極についての位置情報とに基づいて、前記電気的なモデルを定義する定義手段が設けられた、
ことを特徴とする医療システム。
【請求項８】
請求項１記載のシステムにおいて、
前記組織画像は、超音波ビーム走査面に対応する断層画像又は超音波ビーム走査面に直交する断面に対応する断層画像である、
ことを特徴とする医療システム。
【請求項９】
請求項１記載のシステムにおいて、
前記組織画像は、超音波ビーム走査面を含む三次元空間を表した三次元画像である、
ことを特徴とする医療システム。
【請求項１０】
請求項１記載のシステムにおいて、
前記焼灼像生成手段は、前記電極群を有する複数の穿刺針を生体内へ挿入する前の治療計画段階で前記焼灼像を生成する、
ことを特徴とする医療システム。
【請求項１１】
請求項１記載のシステムにおいて、
前記焼灼像生成手段は、前記電極群を有する複数の穿刺針の一部又は全部を生体内に挿入した後であって焼灼治療を行う前の確認段階で前記焼灼像を生成する、
ことを特徴とする医療システム。
【請求項１２】
請求項１記載のシステムにおいて、
前記焼灼像生成手段は、前記電気的なモデルから計算される電場分布に対して色付け処理を施すことにより前記焼灼像としてカラー焼灼像を生成し、
前記色付け処理の条件をユーザーにより変更する手段が設けられた、
ことを特徴とする医療システム。
【請求項１３】
医療システムにおける表示方法において、
生体内から取得されたデータに基づいて、前記生体内の組織を表した組織画像を形成する工程と、
前記生体内の組織を焼灼治療するための電極群を模擬した電気的なモデルに基づいて、前記電極群による焼灼治療が及ぶ範囲の目安となる焼灼像を生成する工程と、
前記組織画像と前記焼灼像とからなる合成画像を表示する工程と、
を含む、ことを特徴とする表示方法。
【請求項１４】
情報処理装置において表示方法を実行するプログラムであって、
前記表示方法が、
生体内から取得されたデータに基づいて、前記生体内の組織を表した組織画像を形成する組織画像形成手段と、
前記生体内の組織を焼灼治療するための電極群を模擬した電気的なモデルに基づいて、前記電極群による焼灼治療が及ぶ範囲の目安となる焼灼像を生成する焼灼像生成手段と、
前記組織画像と前記焼灼像とからなる合成画像を表示する表示手段と、
を含む、
ことを特徴とするプログラム。
【発明の詳細な説明】
【技術分野】
【０００１】
本発明は医療システムに関し、特に、体内に挿入される複数の治療器具により組織の治療を行うシステムにおける表示技術に関する。
【背景技術】
【０００２】
医療の分野において、超音波診断システム、Ｘ線診断システム、ＭＲＩシステム等が広く利用されている。治療機器と共にそれらの医療システムが利用されることもある。治療機器として、高周波電流（ラジオ波）により組織（例えば悪性腫瘍）を焼灼する焼灼治療用穿刺針が知られている。これは焼灼によって組織を凝固、壊死させるものである。これに関しては、バイポーラ型焼灼治療装置及びモノポーラ型焼灼治療装置が知られている。
【０００３】
バイポーラ型焼灼治療装置は、一般に、焼灼治療用穿刺針が第１電極及び第２電極を備えている。生体内に複数のバイポーラ型焼灼治療用穿刺針を同時に差し込み、その状態で、それらが有する電極群（空間的に配置された複数の電極）を利用して、組織を焼灼することも行われている（複数本穿刺方式）。その場合、典型的には、電極群の中から電極ペアが順次、選択及び駆動される。そのような複数本穿刺方式においては、最終的に得られる治療範囲は、複数の電極ペアによる焼灼治療の結果として生じる複数の個別治療範囲の総和となる。なお、モノポーラ型焼灼治療装置は、一般に、単一の電極を有する焼灼治療用穿刺針と、体表面（例えば背中の表面）上に接合される対極板と、を有する。
【０００４】
特許文献１には、超音波画像上に焼灼治療範囲の目安を表す像が合成表示される医療システムが開示されている。その像の生成に際しては穿刺針に設けられた温度センサでの検出温度が利用されている。特許文献２には、複数の焼灼治療用穿刺針が生体内に同時に差し込まれる場合において、超音波画像上又は他の画像上に、焼灼治療範囲を表示することが記載されている。しかし、その文献には焼灼治療範囲の具体的な計算方法までは明記されていない。特許文献１，２のいずれにも、電気的なモデル及びその利用については記載されていない。
【先行技術文献】
【特許文献】
【０００５】
【特許文献１】特許第３８７５８４１号公報
【特許文献２】特開２００１−１２３１８１号公報
【発明の概要】
【発明が解決しようとする課題】
【０００６】
穿刺針を利用して組織の焼灼治療を行う場合、それに先立って、対象となる組織（ターゲット）との関係で、焼灼範囲（あるいは治療範囲）の形態等を予想する必要がある。特に、複数の穿刺針を利用して組織の焼灼治療を行う場合、複数の穿刺針の空間的な関係は区々となるから、焼灼範囲の形態を事前に想定し難い。これは複数の穿刺針の位置決めの困難性を生じさせるものである。また、焼灼治療前に焼灼範囲に関する情報が得られれば、電極ペアの選択を適切に行えるが、現状において、そのような情報は得られていない。電極群の構成や位置関係が変化しても、焼灼範囲の目安を容易に求めることが可能な技術の実現が要望されている。
【０００７】
本発明の目的は、組織の焼灼治療において、安全性を高め、あるいは、治療効果を高められるようにすることにある。あるいは、本発明の目的は、複数の焼灼治療用穿刺針による焼灼治療に先立って、焼灼範囲についての目安が得られるようにすることにある。あるいは、本発明の目的は、生体内における複数の電極についての空間的な関係が様々であっても、焼灼範囲の形態を示す視覚的な情報を簡単に演算することにある。
【課題を解決するための手段】
【０００８】
本発明に係る医療システムは、生体内から取得されたデータに基づいて前記生体内の組織を表した組織画像を形成する組織画像形成手段と、前記組織を焼灼治療するための電極群を模擬した電気的なモデルに基づいて、前記電極群による焼灼治療が及ぶ範囲の目安となる焼灼像を生成する焼灼像生成手段と、前記組織画像と前記焼灼像とからなる合成画像を表示する表示手段と、を含む、ことを特徴とするものである。
【０００９】
生体内において焼灼治療が及ぶ範囲（焼灼範囲）を厳密に予測することは難しいけれども、上記構成によれば、電極群を電気的なモデルで模擬し、そのモデルに基づいて焼灼範囲の目安となる焼灼像を簡便に生成することが可能である。組織画像上に焼灼像が合成されるので、組織との関係で焼灼像を評価することが可能である。
【００１０】
電気的なモデルは、望ましくは、電荷モデル又はそれに相当する（場を定義可能な）モデルである。電荷モデルによれば、空間内における電位分布を求めることが可能であり、電位分布から電場分布を求めることが可能である。電荷モデルから一度の演算で電場分布を演算してもよい。電場分布は電流密度分布に関係するので、電場分布と焼灼範囲には一定の相関があると言える。これに基づいて、電場分布を焼灼像として表示するのが望ましい。生体内においては電気的抵抗は一様ではなく、熱を輸送する血管等も存在している。しかも、治療時間（印加時間）等も焼灼範囲を決める要因をなす。焼灼像は焼灼範囲を正確に表すものではないが、焼灼範囲の目安として機能するものであり、特に、焼灼像の形態から焼灼範囲のおよその形態を認識することが可能である。焼灼像の形態から電極群の配列の適否を判断することが可能である。
【００１１】
上記のデータは、例えば、超音波診断装置、Ｘ線ＣＴ装置、ＭＲＩ装置等によって得られたデータであり、望ましくは、ボリュームデータである。そのデータが超音波診断によってリアルタイムで取得されたデータであってもよい。組織画像は二次元画像又は三次元画像（組織を三次元表現した画像）である。
【００１２】
望ましくは、前記電荷モデルは、前記各電極を１又は複数の点電荷によって表現した点電荷モデルである。望ましくは、前記電極群は複数の第１電極と複数の第２電極とで構成れ、前記各第１電極が複数の正電荷によって模擬され、前記各第２電極が複数の負電荷によって模擬される。このようにバイポーラ型の電極群を模擬する場合、仮想的な正電荷及び負電荷が利用される。点電荷モデルを利用すれば計算が簡易となる。もっとも、線電荷、面電荷等によって各電極を模擬するようにしてもよい。いずれの場合も電荷モデルの利用と言い得る。
【００１３】
望ましくは、前記焼灼像生成手段は、前記電荷モデルに基づいて、前記電極群の中から選択される複数の電極ペアに対応する複数の電位分布を演算する電位分布演算手段と、前記複数の電位分布に基づいて、複数の電場分布を演算する電場分布演算手段と、前記複数の電場分布に基づいて、合成電場分布を演算する合成電場分布演算手段と、前記合成電場分布に基づいて、前記焼灼像を生成する手段と、を含む。この構成によれば、実際に使用する複数の電極ペアに応じた焼灼像を生成することが可能である。
【００１４】
望ましくは、前記焼灼像生成手段は、前記電荷モデルに基づいて、前記電極群の中から選択される複数の電極ペアに対応する複数の電位分布を演算する電位分布演算手段と、前記複数の電位分布に基づいて、複数の電場分布を演算する電場分布演算手段と、前記複数の電場分布に基づいて、複数の焼灼像を生成する手段を含む。この構成によれば、個々の電極ペアに対応する焼灼範囲の目安を得られる。複数の焼灼像が切り換え表示されてもよいし、合成表示されてもよい。
【００１５】
望ましくは、前記電極群は複数の穿刺針に設けられた複数の電極により構成され、前記複数の穿刺針についての位置情報と前記各穿刺針上における複数の電極についての位置情報とに基づいて、前記電気的なモデルを定義する定義手段が設けられる。前者の位置情報は、例えば、穿刺針を保持する超音波プローブに設けられたセンサにより取得される。穿刺針自身にセンサを設けるようにしてもよい。後者の位置情報は、穿刺針のタイプから自動的に特定してもよいし、ユーザーによって入力するようにしてもよい。いずれにしても、電極群を構成する個々の電極の位置が特定される。望ましくは、個々の電極の長さも特定される。更に、個々の電極の太さ等が特定されてもよい。それらの特定が電荷モデルを定義する前提となる。
【００１６】
望ましくは、前記組織画像は、超音波ビーム走査面に対応する断層画像又は超音波ビーム走査面に直交する断面に対応する断層画像である。望ましくは、前記組織画像は、超音波ビーム走査面を含む三次元空間を表した三次元画像である。
【００１７】
望ましくは、前記焼灼像生成手段は、前記電極群を有する複数の穿刺針を生体内へ挿入する前の治療計画段階で前記焼灼像を生成する。望ましくは、前記焼灼像生成手段は、前記電極群を有する複数の穿刺針の一部又は全部を生体内に挿入した後であって焼灼治療を行う前の確認段階で前記焼灼像を生成する。
【００１８】
望ましくは、前記焼灼像生成手段は、前記電気的なモデルから計算される電場分布に対して色付け処理を施すことにより前記焼灼像としてカラー焼灼像を生成し、前記色付け処理の条件をユーザーにより変更する手段が設けられる。閾値以上の電場を有する部分だけを着色するようにしてもよい。閾値以上の電場の大きさを有する部分を囲むラインを表示するようにしてもよい。
【００１９】
本発明に係る表示方法は、生体内から取得されたデータに基づいて、前記生体内の組織を表した組織画像を形成する工程と、前記生体内の組織を焼灼治療するための電極群を模擬した電気的なモデルに基づいて、前記電極群による焼灼治療が及ぶ範囲の目安となる焼灼像を生成する工程と、前記組織画像と前記焼灼像とからなる合成画像を表示する工程と、を含む、ことを特徴とするものである。この表示方法を実行するプログラムは記憶媒体上に格納され、あるいは、ネットワークを介して配信される。
【発明の効果】
【００２０】
本発明によれば、組織の焼灼治療において、安全性を高められ、あるいは、治療効果を高められる。あるいは、本発明によれば、複数の焼灼治療用穿刺針による焼灼治療に先立って、焼灼範囲の目安が得られる。あるいは、本発明によれば、生体内における複数の電極についての空間的な関係が様々であっても、焼灼範囲の形態を示す視覚的な情報を簡単に演算できる。
【図面の簡単な説明】
【００２１】
【図１】本発明に係る医療システムの好適な実施形態を示すブロック図である。
【図２】焼灼治療用穿刺針の一例を示す図である。
【図３】複数の焼灼治療用穿刺針の配置例を示す図である。
【図４】複数の磁気センサ付き焼灼治療用穿刺針の配置例を示す図である。
【図５】焼灼像生成処理の第１例を示すフローチャートである。
【図６】色付け関数の一例を示す図である。
【図７】焼灼像生成処理の第２例を示すフローチャートである。
【図８】ナビゲーション画像の一例を示す図である。
【図９】焼灼像が合成されたナビゲーション画像の一例を示す図である。
【図１０】バイポーラ方式に従う２個の電極を示す図である。
【図１１】図１０に示した２個の電極を模擬した点電荷モデルを示す図である。
【図１２】図１１に示した点電荷モデルに基づく電位分布を示す図である。
【図１３】図１２に示した電位分布から求められる電場分布を示す図である。
【図１４】バイポーラ方式に従う４個の電極を模擬した点電荷モデルを示す図である。
【図１５】６種類の電極ペアを示す図である。
【図１６】６種類の電極ペアに対応する６種類の電位分布を示す図である。
【図１７】６種類の電位分布から求められる６種類の電場分布を示す図である。
【図１８】６種類の電場分布に基づく合成電場分布を示す図である。
【図１９】モノポーラ方式に従う単一の電極を示す図である。
【図２０】図１９に示した電極を模擬した点電荷モデルを示す図である。
【図２１】図２０に示した点電荷モデルに基づく電位分布を示す図である。
【図２２】図２１に示した電位分布から求められる電場分布を示す図である。
【図２３】モノポーラ方式に従う２個の電極を模擬した点電荷モデルを示す図である。
【図２４】２個の電極に対応する２個の電位分布を示す図である。
【図２５】２個の電位分布から求められる２個の電場分布を示す図である。
【図２６】２個の電極を順次用いて２回の焼灼治療を行う場合における合成電場分布を示す図である。
【図２７】２個の電極を同時に用いて焼灼治療を行う場合における合成電場分布を示す図である。
【図２８】二次元合成電場分布に基づく二次元カラー焼灼像の生成を示す図である。
【図２９】三次元合成電場分布に基づく二次元カラー焼灼像の生成を示す図である。
【図３０】三次元合成電場分布に基づく三次元カラー焼灼像の生成を示す図である。
【図３１】焼灼像生成処理の第３例を示すフローチャートである。
【図３２】情報処理装置の要部構成を示すブロック図である。
【発明を実施するための形態】
【００２２】
以下、本発明の好適な実施形態を図面に基づいて説明する。
【００２３】
図１には、本発明に係る超音波診断システムがブロック図として示されている。この超音波診断システムは医療システムであり、それは複数の穿刺針の穿刺を支援する機能を備えている。個々の穿刺針は焼灼治療用の穿刺器具である。この超音波診断システムは、穿刺後且つ治療前の確認段階において、あるいは、穿刺前の治療計画段階において、焼灼範囲（特に焼灼範囲の形態）を予測する上で参考になる焼灼像を生成する機能を有している。
【００２４】
図１において、プローブ１０は、本実施形態において、生体の表面上に当接して用いられる超音波送受波器である。プローブ１０は、図示されていないプローブケーブルを介して超音波診断システム本体に接続されている。プローブ１０は、複数の振動素子からなる１Ｄアレイ振動子を有している。もちろん、１Ｄアレイ振動子に代えて２Ｄアレイ振動子を設けることも可能である。アレイ振動子により超音波ビームが形成され、その超音波ビームを電子走査することにより、走査面１２が形成される。走査面１２は、二次元データ取込領域である。
【００２５】
図１において、ｒは深さ方向すなわちビーム方向を表しており、θは電子走査方向を表している。電子走査方式として、電子リニア走査方式、電子セクタ走査方式、等が知られている。
【００２６】
走査面１２上にはターゲット（治療対象組織）の断面１４が現れている。プローブ１０は、ユーザー（通常、検査者及び治療者としての医師）によって保持されるプローブ本体１０Ａを有し、それには穿刺アダプタ１６が着脱自在に取り付けられている。穿刺アダプタ１６は、プローブ本体１０Ａに対して、一定の距離且つ一定の角度をもって、穿刺針１８を保持、案内する金具である。図１においては、穿刺方向すなわち穿刺経路が符号２０で特定されている。図１においては、ターゲットの断面１４を穿刺経路２０が通過している。実際の穿刺経路が走査面１２内に含まれるように、つまり、穿刺針が走査面内を前進運動するように、穿刺アダプタ１６によって穿刺針１８が保持される。穿刺アダプタ１６に挿入量を検出するセンサを設けるようにしてもよい。穿刺アダプタ１６に、穿刺角度及び穿刺針保持位置を可変できる機構を設けてもよい。そのような場合には、穿刺角度や穿刺位置がセンサ等によって検出される。このように、プローブ１０を基準として穿刺経路２０が特定される。もっとも、後に説明するように、穿刺針１８自体にその位置情報を検出するためのセンサを設けるようにしてもよい。
【００２７】
プローブ１０は磁気センサ２２を備えている。この磁気センサ２２は、三次元空間内におけるプローブ１０の位置及び姿勢を検出するものである。三次元空間内に配置された磁場発生器２４は、位置検出用の磁場を発生する機能を有し、磁気センサ２２はその磁場を検出する。これにより、各軸方向の位置及び各軸回りの角度が特定される。具体的には、位置演算部２６が、磁気センサ２２の出力信号に基づいて、プローブ１０の位置及び姿勢を示す位置情報を演算している。位置演算部２６は磁場発生器２４のコントローラとしても機能している。磁気センサ２２、磁場発生器２４及び位置演算部２６によって、側位システム２８が構成されている。測位方式として、磁気方式の他、光学的方式、電磁波方式、その他があげられる。
【００２８】
送信部３０は送信回路としての送信ビームフォーマーである。送信部３０からアレイ振動子に対して複数の送信信号が並列的に供給される。これによりアレイ振動子上において送信ビームが形成される。受信時において、生体内からの反射波がアレイ振動子にて受波される。これにより、複数の振動素子からの複数の受信信号が受信部３２へ送られる。受信部３２は受信回路としての受信ビームフォーマーである。それは、複数の受信信号に対する整相加算処理により、受信ビームに相当するビームデータを生成する。そのビームデータは、図示されていない信号処理モジュールを経由して、断層画像形成部３４へ送られている。
【００２９】
具体的には、断層画像形成部３４には、複数の受信フレームデータが順次入力される。１つの受信フレームデータは電子走査方向に並ぶ複数のビームデータにより構成される。各ビームデータは深さ方向に並ぶ複数のエコーデータにより構成される。
【００３０】
断層画像形成部３４は、受信フレームデータに基づいて、Ｂモード画像としてのリアルタイム断層画像を形成するモジュール又は電子回路である。断層画像形成部３４はデジタルスキャンコンバータを備えている。また、本実施形態においては、断層画像形成部３４はグラフィック画像を断層画像に合成する機能も備えている。そのような断層画像の画像データが表示処理部３６へ送られている。グラフィック画像の生成及び合成が、表示処理部３６において実行されてもよいし、また制御部４８において実行されてもよい。
【００３１】
メモリ３８にはボリュームデータが格納されている。ボリュームデータは、例えばＸ線ＣＴ装置、ＭＲＩ装置、超音波診断装置等により、ターゲットを含む生体内三次元空間から取得されたものである。本実施形態においては、内部のメモリ３８上にボリュームデータが格納されている。これに代えて、ボリュームデータが外部の記憶媒体上に格納されていてもよく、またボリュームデータがネットワーク上におけるファイルサーバー等に格納されていてもよい。
【００３２】
走査面１２は、ボリュームデータに対応する三次元空間内の１つの断面に相当する。換言すれば、走査面１２の運動範囲をカバーする三次元空間から取得されたボリュームデータがメモリ３８上に格納されている。
【００３３】
三次元参照画像形成部４０は、ボリュームデータに基づいて、生体内を表す三次元参照画像を形成するモジュールである。三次元参照画像として、ボリュームレンダリング画像、サーフェイスレンダリング画像、等があげられる。本実施形態の三次元参照画像には、三次元グラフィックイメージも含まれる。グラフィックの合成が表示処理部３６等において実行されてもよい。三次元参照画像が含んでいるグラフィックは、プローブ１０の位置情報に基づいてリアルタイムで更新される。例えば、三次元参照画像形成部４０は、予定穿刺経路を表すシンボルを含んでおり、そのシンボルの位置及び姿勢がプローブ１０の動きに伴ってリアルタイムで更新される。三次元参照画像の画像データは表示処理部３６へ送られている。
【００３４】
二次元参照画像形成部４２は、ボリュームデータに基づいて第１の二次元参照画像としての同一断面画像を形成するモジュールである。すなわち、ボリュームデータから、走査面１２に対応する断面データが取り出され、それに基づいて断層画像が形成される。その断層画像が同一断面画像である。二次元参照画像形成部４２は同一断面画像に対してグラフィック画像を合成する機能も有している。その機能が表示処理部３６等で実行されてもよい。
【００３５】
二次元参照画像形成部４４は、第２の二次元参照画像としての直交断面画像を形成するモジュールである。すなわち、ボリュームデータ３８から、穿刺経路における所定の深さ地点を横切る断面に相当する断面データが取り出され、それに基づいて断層画像としての直交断面画像が生成される。二次元参照画像形成部４４は、その直交断面画像に対してグラフィック画像を合成する機能を有している。その機能が表示処理部３６等によって実行されてもよい。直交断面画像の画像データが表示処理部３６へ送られている。更に他の参照画像形成部が設けられてもよい。プローブ１０が３Ｄプローブであり、それによってボリュームデータが取得される場合、そのボリュームデータに基づいて各参照画像が形成されてもよい。
【００３６】
表示処理部３６は、入力される複数の画像データを合成し、これにより表示画面データを生成する機能を有している。表示画面データは表示器４６に送られる。表示器４６の画面上には、本実施形態において、リアルタイム断層画像、三次元参照画像、同一断面画像、及び、直交断面画像が表示される。リアルタイム断層画像以外は参照画像であり、それらもリアルタイムでその内容が更新される。但し、ボリュームデータは同一被検者についての過去のデータであるため、現在のターゲットをそのまま表示しているのはリアルタイム断層画像だけである。実際の穿刺針像が現れるのもリアルタイム断層画像だけである。
【００３７】
高周波治療装置本体５８は、本実施形態において、複数の穿刺針（穿刺針型治療器）に対して高周波信号を供給する装置である。高周波治療装置本体５８は、複数の穿刺針が有する複数の電極（電極群）の中から、使用する電極セット（一度に動作させる電極ペア）を選択する機能、複数の穿刺針の先端部を冷却する機能、等を備えている。
【００３８】
なお、図１に示される各構成（各ブロック）は、プローブや穿刺針等の一部を除いて、基本的に、１又は複数のプロセッサ、チップ、電気回路等により、構成されている。１つのチップ、プロセッサ、電気回路等が図示された複数の構成に相当してもよい。それぞれの構成がソフトウエアの機能により実現されてもよい。そのようなソフトウエアはＣＰＵにおいて実行されてもよい。１つのプロセッサにより全てのソフトウエア機能が実現されてもよいし、複数のプロセッサにより全てのソフトウエア機能が実現されてもよい。
【００３９】
制御部４８は、ＣＰＵ及びプログラムによって構成される。制御部４８は、図１に示される各構成（各ブロック）を制御している。制御部４８は、穿刺履歴登録部５０、穿刺履歴記憶部５２、及び、予定穿刺経路演算部５４を有している。穿刺履歴登録部５０は、複数本の穿刺を行う過程において、個々の穿刺が完了した時点において、その時点での穿刺針の穿刺経路あるいは位置情報を穿刺履歴（穿刺実績）としてメモリ上に登録するユニットである。例えば、ある穿刺針について穿刺完了が判定された場合、その時点における予定穿刺経路が既存穿刺経路（実績穿刺経路）として登録される。個々の穿刺針ごとに既存穿刺経路が登録される。穿刺履歴記憶部５２は、穿刺履歴登録部５０によって登録される情報を格納する記憶領域である。登録タイミングはマニュアルで指定することができ、あるいは、自動的に指定することが可能である。すべての治療が完了した後において、穿刺履歴記憶部５２の記憶内容が消去される。そのような情報が別途保存されてもよい。穿刺履歴記憶部５２上に、既存穿刺経路の座標情報が登録されてもよいし、それを表すプローブの位置情報が登録されてもよい。
【００４０】
本実施形態では、穿刺履歴記憶部５２上に、更に、挿入量すなわち穿刺深さが登録される。ユーザー入力された情報に基づいて挿入量が登録さてれてもよいし、センサによって検出された情報に基づいて挿入量が登録されてもよい。挿入量に代えて、穿刺針の先端位置又は先端基準位置の座標が登録されてもよい。いずれにしても、各電極の位置（穿刺針に対する相対的位置）を特定するための情報が登録される。三次元空間内における個々の電極の絶対的位置は、穿刺針の絶対的位置とその穿刺針上の電極の相対的位置とから特定される。
【００４１】
予定穿刺経路演算部５４は、位置演算部２６から出力される位置情報に基づいて、穿刺アダプタ１６によって案内される穿刺針１８の穿刺経路２０すなわち予定穿刺経路を演算するモジュールである。例えば、走査面上の予定穿刺経路の座標情報及び三次元空間内の予定穿刺経路の座標情報の両方又は一方が演算される。いずれにしても、三次元空間において予定穿刺経路を特定するための情報が直接的に又は間接的に演算される。後述する焼灼像を生成するために、予定穿刺経路上における予定挿入量が別途、入力されてもよい。予定挿入量に代えて、予定穿刺経路上において予定される先端位置又は先端部基準位置が別途、入力されてもよい。
【００４２】
本実施形態の超音波診断システムは、制御部４８が電荷モデル定義部７０及び焼灼像生成部７２を備えている。
【００４３】
電荷モデル定義部７０は、後に詳述するように、生体内に配置される電極群を模擬する電荷モデルを定義するモジュールである。電極群は、生体内に挿入された複数の穿刺針が有する複数の電極によって構成される。典型的には、複数の電極は、例えば、ターゲットを取り囲むようにターゲットの周囲に配置される。電荷モデルとして、本実施形態では、点電荷モデルが利用されている。所定形態を有する個々の電極が例えば５つの電荷で模擬される。これに関しては後に詳述する。
【００４４】
以上のような点電荷モデルを定義するために、電荷モデル定義部７０には、三次元空間内における各穿刺針の位置（絶対的位置）を特定する情報と、各穿刺針上における各電極の位置（相対的位置）を特定する情報と、が与えられる。なお、点電荷を用いたモデルに代えて、線電荷を用いたモデル、面電荷を用いたモデル、等を利用することが可能である。点電荷モデルによれば、モデル生成が簡易となり、また、後述する電位分布及び電場分布の計算も簡易となる。
【００４５】
焼灼像生成部７２は、点電荷モデルに基づいて、電極群による焼灼治療の及ぶ範囲の目安となる焼灼像を生成するモジュールである。焼灼像生成部７２は、本実施形態において、電極群の中から順次選択される電極ペアごとに、点電荷モデルに基づいて電位分布を生成し、続いて、電位分布に基づいて電場分布を生成する。更に、焼灼像生成部７２は、複数の電極ペアに対応する複数の電場分布を合成することにより合成電場分布が生成し、その合成電場分布に対して色付け関数に従う色付け処理を施すことによりカラーイメージとしての焼灼像を生成する。本実施形態では、同一断面画像に合成（重畳）される第１の二次元焼灼像、直交断面画像に合成（重畳）される第２の二次元焼灼像、及び、三次元参照画像に合成される三次元焼灼像、が生成されている。
【００４６】
制御部４８で演算された既存穿刺経路及び予定穿刺経路を特定する情報が、三次元参照画像形成部４０、二次元参照画像形成部４２及び二次元参照画像形成部４４へ送られ、必要に応じて、その情報が表示処理部３６へ送られる。三次元焼灼像が三次元参照画像形成部４０へ送られ、第１の二次元焼灼像が二次元参照画像形成部４２へ送られ、及び、第２の二次元焼灼像が二次元参照画像形成部４４へ送られる。三次元参照画像形成部４０、二次元参照画像形成部４２及び二次元参照画像形成部４４は、それぞれ、参照画像上に焼灼像を合成（重畳）して合成画像を生成する機能を有する。その合成（重畳）を表示処理部３６で行うようにしてもよい。
【００４７】
入力部５６は、例えば、操作パネルにより構成される。それはスイッチ、トラックボール等の入力デバイスを有している。なお、本実施形態においては、磁場方式によって位置情報が計測されていたが、上記のとおり、光学的な計測、電波を利用した計測等の手法が用いられてもよい。また、加速度センサ等のデバイスを利用することも可能である。
【００４８】
図２には、穿刺針の一例が示されている。図示されている穿刺針１８は、高周波治療を行う器具である。図２にはその先端部が拡大図として示されている。穿刺針１８はバイポーラ型の高周波治療器具である。すなわち、絶縁体６６を間において２つの電極６２，６４を有している。符号６０は軸体を示している。符号６８は尖塔形を有する先端チップを示している。もちろん、他の構成をもった治療器具を利用することも可能である。本実施形態では、以下に説明するように、二本又は三本の穿刺針が同時に使用され、それらによってターゲット（治療対象組織）に対する高周波焼灼治療が実行される。
【００４９】
図３には、穿刺針配列の一例が示されている。具体的には、三本の穿刺針１８Ａ，１８Ｂ，１８Ｃを用いてターゲット７１の治療を行う場合の様子が示されている。図示の例においては、ターゲット７１が三本の穿刺針１８Ａ，１８Ｂ，１８Ｃの先端部によって囲まれるように、すなわち、ターゲット７１の外側にそれらが配置されるように、三本の穿刺針が配列されている。そのような状態において、全電極中の全部又は一部が選択され、それらに高周波信号が供給される。これによってターゲット７１に対する焼灼治療が実行される。
【００５０】
図４には、穿刺針配列の他の例が示されている。それは３つの穿刺針８０，８２，８４により構成される。体表面７３上にはプローブ７４が当接されている。超音波ビームの電子的な走査により走査面７８が形成される。図示の例では、プローブ７４には穿刺アダプタが設けられていないが、３つの穿刺針８０，８２，８４には、それぞれ磁気センサ８０ａ，８０ｂ，８０ｃが設けられている。それらは磁場発生器８６で生成された磁場を感知するものである。このような構成により、穿刺針８０，８２，８４の個々の位置及び姿勢を特定する情報を直接的に取得することが可能である。つまり、図４に示す構成によれば、個々の電極の位置を正確かつ容易に特定することが可能である。
【００５１】
図５には、焼灼像生成方法の第１例がフローチャートとして示されている。Ｓ１０においては、焼灼像生成条件が指定される。例えば、穿刺針の本数、個々の穿刺針における各電極の座標及び長さ、が指定される。それらの情報がユーザーにより指定されてもよいし、それらの情報が事前に設定されていてもよい。Ｓ１２においては、複数の穿刺針が生体に差し込まれる。つまり、電極群が実際に配置される。なお、後に図７に示す第２例では、電極群が仮想的に配置される。図５におけるＳ１２において、後から挿入される一部の穿刺針が仮想的に配置されてもよい。実配置及び仮想配置のいずれであっても、電極群を構成する個々の電極の座標が直接的に又は間接的に特定される。
【００５２】
Ｓ１４においては、電極群が点電荷モデルで模擬される。個々の穿刺針が第１電極及び第２電極を有する場合、例えば、各第１電極が直線状に並ぶ５つの正電荷（単位電荷量＋１をもった５個の電荷）で模擬され、各第２電極が直線状に並ぶ５つの負電荷（単位電荷量−１をもった５個の電荷）で模擬される。そのような点電荷モデルを基礎として、三次元空間内の各点の電位（ポテンシャル）が計算される。つまり、空間的に広がる電位分布が計算される。そして、電位分布に対する空間微分処理により電場分布（電界分布）が計算される。実際には、同時に使用される電極ペアごとに、電位分布が計算され、その電位分布に基づいて電場分布が計算される。複数の電極ペアについて求められた複数の電場分布を合成することにより、合成電場分布が求められる。合成電場分布は、空間内の座標ごとの電場の大きさ（絶対値）を表すものである。なお、１つの電極ペアしか利用されない場合、それに対応する電場分布だけが演算される。Ｓ１４で実行される具体的な計算については後に詳述する。上記の点電荷モデルは一例であり、上記以外の電荷モデルを利用してもよい。
【００５３】
Ｓ１６においては、合成電場分布に基づいて、焼灼範囲の目安となるカラー焼灼像が生成される。具体的には、同一断面画像に合成される第１の二次元焼灼像、直交断面画像に合成される第２の二次元焼灼像、及び、三次元参照画像に合成される三次元焼灼像、が生成される。個々の焼灼像の生成に際しては、電場の大きさを色相に変換する色付け関数が利用される。色付け関数はユーザーにより変更することが可能である。
【００５４】
Ｓ１８においては、同一断面画像上に第１の二次元焼灼像が重畳表示され、直交断面画像上に第２の二次元焼灼像が重畳表示され、三次元参照画像に対して三次元焼灼像が合成表示される。三次元焼灼像の生成に際しては、ボリュームレンダリング法、サーフェイスレンダリング法、が利用される。
【００５５】
本発明者の実験によれば、合成電場分布に基づく焼灼像は、実際の焼灼範囲それ自体を示すものではないが、実際の焼灼範囲の目安となり得るものであり、特に実際の焼灼範囲の形態を表現するものであることが確認されている。よって、そのような焼灼像によれば、ターゲットとの関係で電極群の配置が適正であることを治療に先立って確認できるという利点を得られる。また、穿刺前にそのような焼灼像が得られるならば、穿刺計画（治療計画）を立てる上で、非常に参考となる。特に、生体内に複数の電極が配置された上で、電極ペアごとに順次駆動されて焼灼治療が段階的に遂行される場合、最終的な焼灼範囲の形態が複雑になるが、本実施形態によれば、その形態に近いものを二次元焼灼像として又は三次元焼灼像として事前に確認できるという利点を得られる。なお、閾値を超える電場の大きさを有する座標だけをカラー表示するようにしてもよい。そのような構成によれば、焼灼範囲の形態を明瞭に表示できる。焼灼範囲の輪郭を強調表示するようにしてもよい。
【００５６】
図６には、上述した色付け関数の一例が示されている。横軸は、電場の大きさＡを示しており、縦軸は表示値（色相）Ｂを示している。縦軸の最大値はこの例では２５５である。色付け関数８８においては、横軸方向の大きさＷＷを有する区間が線形増加区間であり、その前後の区間において平坦である。ＷＬは横軸方向に大きさＷＷを有する区間における中央値を示している。色付け関数８８は、具体的には、Ｂ＝（Ａ−ＷＬ）＊２５５／ＷＷ＋１２８、という式である。この色付け関数８８に従って、電場の大きさＡに応じて、表示値Ｂが決まる。ＷＬ及びＷＷをユーザーによって任意に可変することが可能であり、そのようなパラメータ調整により、所望のカラー表現を実現可能である。ＷＬ及びＷＷをプリセットしておいてもよい。図６に示した計算式は色付け関数の一例に過ぎないものである。色付け関数ではなく、色付けテーブルを利用してもよい。
【００５７】
図７には、焼灼像生成方向の第２例がフローチャートとして示されている。図５において説明した工程と同様の工程には同一のステップ番号を付し、その説明を省略する。
【００５８】
図７におけるＳ２０では、複数の穿刺針が仮想的に配置される。個々の穿刺針についての位置情報を電荷モデル定義部へ与えることにより、その仮想的な配置を容易に実現できる。その上で、電極群に対して電荷モデルが定義される。Ｓ２２では、Ｓ１０〜Ｓ１８を繰り返し実行するか否かが判断さる。所望の形態をもった焼灼範囲が生じるように、電極群の仮想配置を変更するのが望ましい。つまり、ターゲットとの関係で良好な焼灼範囲が得られた後に、実際に電極群を配置する（つまり、複数の穿刺を実行する）のが望ましい。
【００５９】
図８には、図１に示した超音波診断システムで表示されるナビゲーション画像の一例が示されている。表示画像９０には、超音波画像（リアルタイム断層画像）９２、第１の二次元参照画像としての同一断面画像９４、第２の二次元参照画像としての直交断面画像９６、及び、三次元参照画像９８が含まれる。図８には、３本の穿刺針の穿刺が完了している状態が示されている。但し、その状態は焼灼治療前の状態である。
【００６０】
断層画像９２上には、３つのグラフィック要素として、３つの既存穿刺経路を表す３つのシンボル１０２，１０６，１０８が表示されている。その内で、シンボル１０２は、走査面上の既存穿刺経路を表すものであり、シンボル１０６，１０８は、他の２つの既存穿刺経路を表す２つの投影像（走査面上へ既存穿刺経路を投影した像）を示すものである。シンボル１０２，１０６，１０８の内で、シンボル１０２だけを表示するようにしてもよい。ライン１０４は、シンボル１０２における基準位置（例えば２つの電極の中間位置としての基準位置）を横切る直交ラインであり、それは直交断面画像の断面を表している。符号１００は、ターゲット又はターゲットを囲む円形のマーカーを示している。
【００６１】
同一断面画像９４上には、３つの既存穿刺経路を表す３つのシンボル１１４，１１８，１２０が表示されている。その内で、シンボル１１４は、走査面上の既存穿刺経路を表すものであり、シンボル１１８，１２０は、他の２つの既存穿刺経路を表す２つの投影像である。シンボル１１４，１１８，１２０の内で、シンボル１１４だけを表示するようにしてもよい。ライン１１６は、直交断面画像の断面を表すものである。符号１１２は、ターゲット又はターゲットを囲む円形のマーカーを示している。
【００６２】
直交断面画像９６上には、走査面の位置を表すライン１３０が表示されており、また、ターゲット又はそれを囲む円形のマーカー１２２が表示されている。マーカー１２２に隣接して３つのマーカー１２４，１２６，１２８が表示されている。それらは３つの既存穿刺経路（の断面）を示すものである。マーカー１２４は、断層画像９２上に表示されたシンボル１０２、及び、同一断面画像１１０上に表示されたシンボル１１４に対応するものである。他の２つのマーカー１２６，１２８は、断層画像９２上に表示された他の２つのシンボル１０６，１０８、及び、同一断面画像１１０上に表示された他の２つのシンボル１１８，１２０に対応するものである。
【００６３】
三次元参照画像９８には、３つの既存穿刺経路を表す３つのシンボル１３８，１４０，１４２が含まれている。その内で、シンボル１３８は、走査面上の既存穿刺経路を表すものである。走査面シンボル１３４は走査面を表現したものである。シンボル１４０，１４２は、他の２つの既存穿刺経路を表すものである。符号１３６は、ターゲット又はターゲットを囲む球形のマーカーを示している。
【００６４】
図９には、焼灼像が合成されたナビゲーション画像の一例が示されている。図示の例では、同一断面画像９４上に、二次元のカラー焼灼像１４４が重合表示されている。その焼灼像１４４は、走査面上における合成電場分布を表したものである。直交断面画像９６上にも、二次元のカラー焼灼像１４６が重合表示されている。その焼灼像１４６は、直交断面上における合成電場分布を表したものである。三次元参照画像９８には、三次元のカラー焼灼像１４８が合成されている。カラーバー１４９は、電場の大きさと色相との対応関係を示すものである。
【００６５】
焼灼像生成条件がウインドウ１５０，１５２内において指定されている。ウインドウ１５０に示された条件には、焼灼像の表示ＯＮ／ＯＦＦ、穿刺針本数（その配列）、穿刺針種別、電極情報（長さ、位置）等が含まれる。更に、選択されるペアの番号列、電力、焼灼時間、組織係数等の条件が含まれてもよい。ウインドウ１５２に示された条件には、カラー関数、閾値、表示タイプ、に関する条件が含まれている。
【００６６】
図９に示したように、ターゲットを表す画像上に、電場分布を表す焼灼像を合成表示することにより、ターゲットとの関係で、焼灼範囲を大まかに確認することが可能である。特に、ターゲットの形態に対して、焼灼範囲の形態が適切か否か、つまり、電極群のレイアウト（あるいは、１又は複数のペアの選択）が適切か否かを確認することが可能である。その上で実際に焼灼治療を行えば、治療効果を高められ、同時に、安全性を高められる。リアルタイム断層画像（超音波画像）上に焼灼像が合成表示されてもよい。
【００６７】
次に、図１０乃至図２７を用いて、点電荷モデルに基づく電場分布の計算について説明する。
【００６８】
図１０には、１つの穿刺針（バイポーラ型穿刺針）が有する２つの電極１５４，１５６が模式的に示されている。図示の例では、電極１５４がその中心軸上に並んだ５つの正の点電荷（＋１）によって模擬されており、電極１５６がその中心軸上に並んだ５つの負の点電荷（−１）によって模擬されている。それらは点電荷モデルを構成するものである。５つの正の点電荷の座標をＡ１，Ａ２，Ａ３，Ａ４，Ａ５とし、５つの負の点電荷の座標をＢ１，Ｂ２，Ｂ３，Ｂ４，Ｂ５とした場合、任意の点Ｐ（ｘ，ｙ，ｚ）における電位φ（ｘ，ｙ，ｚ）は、次の(1)式によって定まる。なお、括弧内の第１項及び第２項の分母はベクトルのノルムを表している。
【数１】
2017131434.tif 000003
【００６９】
上記(1)式で計算される電位φ（ｘ，ｙ，ｚ）を以下の(2)式に従って空間微分すると、点Ｐ（ｘ，ｙ，ｚ）での電場Ｅ（ｘ，ｙ，ｚ）が求まる。
【数２】
2017131434.tif 000004
【００７０】
本実施形態では、点Ｐ（ｘ，ｙ，ｚ）での電場Ｅ（ｘ，ｙ，ｚ）の大きさＯｕｔ（ｘ，ｙ，ｚ）が以下のように計算される。
【数３】
2017131434.tif 000005
【００７１】
実際には、電場Ｅ（ｘ，ｙ，ｚ）の大きさＯｕｔ（ｘ，ｙ，ｚ）に対して上記のように色付け処理を施すことにより、焼灼像が生成される。複数の電極ペアを順次駆動する場合、複数の電極ペアに対応する複数の電場の大きさ分布（電場分布）が合成され、合成電場分布が生成された上で、その合成電場分布が色付け処理される。このように点電荷モデルを基礎として電場分布（又は合成電場分布）を容易に求めることが可能であり、それから焼灼像が生成される。
【００７２】
以上の点電荷モデルにおいては、１つの電極が均等配置された５個の点電荷で模擬されていたが、より少ない又はより多い点電荷で模擬するようにしてもよい。電極の長手方向のサイズや表示画面サイズに応じて点電荷の個数を変化させてもよい。焼灼時のパワーや焼灼時間に応じて、個々の電荷の電荷量を増減してもよい。
【００７３】
図１１には、特定の平面上に配置された点電荷モデルが示されている。特定の平面はＺ＝０の平面である。その平面はｘ軸及びｙ軸を有する。個々の電極の長さは８であり、２つの電極の中心座標として、（０，−６，０）及び（０、６，０）が指定されている。電極の傾き（方向ベクトル）として（０，１，０）が指定されている。
【００７４】
図１１に示した点電荷モデルに基づいて計算された電位分布が図１２に示されている。グレースケール１５８は電位と輝度の関係を示している。図１２に示された電位分布の空間勾配を計算することにより、図１３に示す電場の大きさの分布（電場分布）が求められる。実際には、電位分布の空間勾配により電場ベクトル分布が得られ、電場ベクトル分布に対してノルム計算処理を施すことにより図１３に示された電場分布が求められる。電場分布の計算に際しては、三次元の電場分布を計算するのが望ましいが、図１３に示された電場分布を計算するだけであれば、図１２に示したＺ＝０の平面上における電位分布と、Ｚ＝１の平面上における電位分布と、を計算すればよい。符号１６０はグレースケールを示している。
【００７５】
図１４には、２本のバイポーラ型穿刺針が有する４つの電極Ａ，Ｂ，Ｃ，Ｄを模擬した点電荷モデルが示されている。２本のバイポーラ型穿刺針は平行に配置されており、それらのｙ方向の先端位置は揃っている。もっとも、点電荷モデルによれば、複雑な電極配列の場合であっても電位分布及び電場分布を極めて簡易に計算できる。図１５には、４つの電極の中から選択可能な６種類の電極ペア（組合せ）が示されている。符号１６２は電極Ａ，Ｂの組合せ、符号１６４は電極Ｃ，Ｄの組合せ、符号１６６は電極Ａ，Ｃの組合せ、符号１６８は電極Ｂ，Ｄの組合せ、符号１７０は電極Ａ，Ｄの組合せ、及び、符号１７２は電極Ｂ，Ｃの組合せ、を示している。６種類の組合せの中から、任意の組合せを順次選択して、段階的に焼灼治療を行うことが可能である。
【００７６】
図１６には、６種類の組合せに対応する６種類の電位分布１７４，１７６，１７８，１８０，１８２，１８４が示されている。図１７には、６種類の組合せに対応する６種類の電場分布（電場の大きさの分布）１８６，１８８，１９０，１９２，１９４，１９６が示されている。それらを加算したものが図１８に示す合成電場分布である。そこに表された合成電場分布の形態は実際の焼灼範囲の形態を程良く表しているものであることが確認されている。例えば、ターゲットの形態に適合した電場分布（焼灼像の形態）となるように、選択する組合せを適宜変更することが可能である。
【００７７】
３本のバイポーラ型穿刺針が挿入される場合においても上記同様に焼灼像を生成することが可能である。ちなみに、その場合には１５種類の電極ペアが生じる。より多くのバイポーラ型穿刺針が挿入される場合においても上記同様に焼灼像を生成することが可能である。
【００７８】
図１９には、モノポーラ型穿刺針が有する単一の電極１９８が示されている。電極１９８が、図示の例では、その中心軸上に並んだ１１個の正の点電荷（＋１）によって模擬されている。実際には対極板が存在しているが、それは無限遠にあるものとして、無視することが可能である。
【００７９】
１１個の点電荷の座標をＡ１，・・・，Ａ１１とする。任意の点Ｐ（ｘ，ｙ，ｚ）における電位φ（ｘ，ｙ，ｚ）は、次の(4)式によって定まる。なお、括弧内の分母はベクトルのノルムを表している。
【数４】
2017131434.tif 000006
【００８０】
上記(4)式で計算される電位φ（ｘ，ｙ，ｚ）を以下の(5)式に従って空間微分すると、点Ｐ（ｘ，ｙ，ｚ）での電場Ｅ（ｘ，ｙ，ｚ）が求まる。
【数５】
2017131434.tif 000007
【００８１】
この例では、点Ｐ（ｘ，ｙ，ｚ）での電場Ｅ（ｘ，ｙ，ｚ）の大きさＯｕｔ（ｘ，ｙ，ｚ）が以下のように計算される。
【数６】
2017131434.tif 000008
【００８２】
電場Ｅ（ｘ，ｙ，ｚ）の大きさＯｕｔ（ｘ，ｙ，ｚ）に対して上記のように色付け処理を施すことにより、焼灼像を生成することが可能である。
【００８３】
図２０には、Ｚ＝０の平面上に配置された点電荷モデルが示されている。電極の長さとして１１が指定されており、電極の座標（中心座標）として、（０，０，０）が指定されている。電極の傾き（方向ベクトル）として（０，１，０）が指定されている。この点電荷モデルに基づいて図２１に示す電位分布が計算される。更にその電位分布に基づいて図２２に示す電場分布（電場の大きさ分布）が計算される。その電場分布をそのまま焼灼像として利用することも可能であるが、他の白黒組織画像上に合成表示する場合には、電場分布に対して色付け処理を施し、カラー焼灼像を生成するのが望ましい。
【００８４】
図２３には、２本のモノポーラ型穿刺針が有する２つの電極Ａ，Ｂを模擬した点電荷モデルが示されている。それはＺ＝０の平面上に表現されている。ここでは各電極が１１個の点電荷によって模擬されている。個々の電極ごとに点電荷モデルに従って電位分布を計算すると、図２４に示すものとなる。更に、個々の電極ごとに電位分布から電場分布（電場の大きさの分布）を計算すると、図２５に示すものとなる。
【００８５】
個々のモノポーラ電極を順次駆動して複数回焼灼治療を行う場合における合成電場分布は、図２５に示した２つの電場分布の合成に際し、ピクセルごとに最大輝度を選択することにより求められる。具体的には図２６に示す合成電場分布が求められる。一方、２つのモノポーラ電極を同時駆動して焼灼治療を行う場合における合成電場分布は、図２５に示した２つの電場分布の和を求めることによって得られ、具体的には、図２７に示す合成電場分布が求められる。
【００８６】
条件次第ではあるが、一般に、モノポーラ方式における複数本同時焼灼の場合、バイポーラ方式における複数本同時焼灼やモノポーラ方式における複数回焼灼の場合よりも、焼灼範囲が大きくなる。上記においては、それを考慮して、最大値選択及び和演算を切り替えている。諸条件に応じて合成処理条件を切り替えるのが望ましい。
【００８７】
図２８乃至図３０を用いてカラー焼灼像の生成方法について更に説明する。図２８に示す第１例では、三次元合成電場分布は生成されず、走査面位置に対応する二次元合成電場分布２００が生成され、その二次元合成電場分布２００に対して色付け処理を施すことにより二次元カラー焼灼像２０２が生成されている。図２９に示す第２例では、まず三次元合成電場分布２０４が生成され、そこから走査面位置に対応する面データを切り出すことにより（符号２０６）、二次元合成電場分布２０８が生成され、それに対して色付け処理を施すことにより、二次元カラー焼灼像２１０が生成されている。図３０に示す第３例では、三次元合成電場分布２１２が生成された上で、それに基づいて三次元カラー焼灼像２１４が生成されている。その場合、例えば、ボリュームレンダリングの実行と共に色付け処理を施してもよいし、ボリュームレンダリング結果に対して色付け処理を施してもよい。
【００８８】
図３１には、図１に示したシステムの他の動作例が示されている。図３１において、図５に示した工程と同様の工程には同一符号を付す。Ｓ２０では、Ｓ１０で指定された諸条件に従って、生体内の空間に対して電極群が仮想的に配置される。Ｓ１４では、一度に動作させる電極ペアごとに電場分布（個別電場分布）が生成され、また、それらに基づいて合成電場分布が生成される。Ｓ２４では、電極ペアごとに、電場分布に基づいて個別焼灼像が生成される。Ｓ２６では、複数の個別電場分布に基づいて、具体的には例えばそれらの加算により、カラーの総合（合成）焼灼像が生成される。Ｓ３０では、複数の個別焼灼像がローテーション表示される。すなわち、複数の個別焼灼像が１つずつ切り換え表示される。また、必要に応じて、総合（合成）焼灼像が表示される。Ｓ３２では、以上の処理を繰り返すか否かが判断される。この表示方法によれば、電極ペアごとに大凡の焼灼範囲の形態等を認識し、実際に動作させる電極ペアを適切に選択できる。
【００８９】
図３２には、複数の穿刺針の仮想的な配置によりカラー焼灼像を生成する情報処理装置の構成例が示されている。この装置も医療システムの一態様である。図３２において、図１に示した構成と同様の構成には同一符号を付し、その説明を省略する。
【００９０】
図３２において、制御部２１６は、穿刺針設定部２１８を有する。これは、ユーザー入力された条件に従って、生体内の空間に１又は複数の穿刺針を仮想的に配置するものである。つまり、ターゲットとの関係で、電極群を仮想的に配置するものである。このような仮想的な配置を前提として、電荷モデル定義部２２０が仮想的に配置された電極群を模擬する電荷モデルを定義する。焼灼像生成部２２２は、その電荷モデルに基づいて複数のカラー焼灼像を生成する。複数のカラー焼灼像が上述したように同一断面画像、直交断面画像、及び、三次元参照画像に合成される。この技術によれば、例えば、穿刺を行う前の治療計画段階において、カラー焼灼像を確認しながら、ターゲットに対する電極群の最適な配置を特定することが可能である。
【００９１】
なお、上記実施形態においては、複数の電極が同じ長さを有していたが、各電極の長さが異なっていても、電荷モデルを基礎として焼灼像を生成することが可能である。複数の穿刺針が非並行に配置される場合でも同様である。
【符号の説明】
【００９２】
１０  プローブ、１８  穿刺針、３４  断層画像形成部、４０  三次元参照画像形成部、４２  二次元参照画像（同一断面画像）形成部、４４  二次元参照画像（直交断面画像）形成部、４８  制御部、７０  電荷モデル定義部、７２  焼灼像生成部。
【図１】
2017131434.tif 000009
【図２】
2017131434.tif 000010
【図３】
2017131434.tif 000011
【図４】
2017131434.tif 000012
【図５】
2017131434.tif 000013
【図６】
2017131434.tif 000014
【図７】
2017131434.tif 000015
【図８】
2017131434.tif 000016
【図９】
2017131434.tif 000017
【図１０】
2017131434.tif 000018
【図１１】
2017131434.tif 000019
【図１２】
2017131434.tif 000020
【図１３】
2017131434.tif 000021
【図１４】
2017131434.tif 000022
【図１５】
2017131434.tif 000023
【図１６】
2017131434.tif 000024
【図１７】
2017131434.tif 000025
【図１８】
2017131434.tif 000026
【図１９】
2017131434.tif 000027
【図２０】
2017131434.tif 000028
【図２１】
2017131434.tif 000029
【図２２】
2017131434.tif 000030
【図２３】
2017131434.tif 000031
【図２４】
2017131434.tif 000032
【図２５】
2017131434.tif 000033
【図２６】
2017131434.tif 000034
【図２７】
2017131434.tif 000035
【図２８】
2017131434.tif 000036
【図２９】
2017131434.tif 000037
【図３０】
2017131434.tif 000038
【図３１】
2017131434.tif 000039
【図３２】
2017131434.tif 000040
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
生体内から取得されたデータに基づいて前記生体内の組織を表した組織画像を形成する組織画像形成手段と、
前記組織を焼灼治療するための電極群を模擬した電気的なモデルである電荷モデルに基づいて、前記電極群による焼灼治療が及ぶ範囲の目安となる焼灼像を生成する焼灼像生成手段と、
前記組織画像と前記焼灼像とからなる合成画像を表示する表示手段と、
を含む、ことを特徴とする医療システム。
【請求項２】
請求項１記載のシステムにおいて、
前記データは、超音波診断装置、Ｘ線ＣＴ装置又はＭＲＩ装置により得られたデータである、
ことを特徴とする医療システム。
【請求項３】
請求項１記載のシステムにおいて、
前記電荷モデルは、前記各電極を１又は複数の点電荷によって表現した点電荷モデルである、
ことを特徴とする医療システム。
【請求項４】
請求項３記載のシステムにおいて、
前記電極群は複数の第１電極と複数の第２電極とで構成され、
前記各第１電極が複数の正電荷によって模擬され、前記各第２電極が複数の負電荷によって模擬される、
ことを特徴とする医療システム。
【請求項５】
請求項１記載のシステムにおいて、
前記焼灼像生成手段は、
前記電荷モデルに基づいて、前記電極群の中から選択される複数の電極ペアに対応する複数の電位分布を演算する電位分布演算手段と、
前記複数の電位分布に基づいて、複数の電場分布を演算する電場分布演算手段と、
前記複数の電場分布に基づいて、合成電場分布を演算する合成電場分布演算手段と、
前記合成電場分布に基づいて、前記焼灼像を生成する手段と、
を含むことを特徴とする医療システム。
【請求項６】
請求項１記載のシステムにおいて、
前記焼灼像生成手段は、
前記電荷モデルに基づいて、前記電極群の中から選択される複数の電極ペアに対応する複数の電位分布を演算する電位分布演算手段と、
前記複数の電位分布に基づいて、複数の電場分布を演算する電場分布演算手段と、
前記複数の電場分布に基づいて、複数の焼灼像を生成する手段を含む、
ことを特徴とする医療システム。
【請求項７】
請求項１記載のシステムにおいて、
前記電極群は複数の穿刺針に設けられた複数の電極により構成され、
前記複数の穿刺針についての位置情報と前記各穿刺針上における複数の電極についての位置情報とに基づいて、前記電気的なモデルを定義する定義手段が設けられた、
ことを特徴とする医療システム。
【請求項８】
請求項１記載のシステムにおいて、
前記組織画像は、超音波ビーム走査面に対応する断層画像又は超音波ビーム走査面に直交する断面に対応する断層画像である、
ことを特徴とする医療システム。
【請求項９】
請求項１記載のシステムにおいて、
前記組織画像は、超音波ビーム走査面を含む三次元空間を表した三次元画像である、
ことを特徴とする医療システム。
【請求項１０】
請求項１記載のシステムにおいて、
前記焼灼像生成手段は、前記電極群を有する複数の穿刺針を生体内へ挿入する前の治療計画段階で前記焼灼像を生成する、
ことを特徴とする医療システム。
【請求項１１】
請求項１記載のシステムにおいて、
前記焼灼像生成手段は、前記電極群を有する複数の穿刺針の一部又は全部を生体内に挿入した後であって焼灼治療を行う前の確認段階で前記焼灼像を生成する、
ことを特徴とする医療システム。
【請求項１２】
請求項１記載のシステムにおいて、
前記焼灼像生成手段は、前記電気的なモデルから計算される電場分布に対して色付け処理を施すことにより前記焼灼像としてカラー焼灼像を生成し、
前記色付け処理の条件をユーザーにより変更する手段が設けられた、
ことを特徴とする医療システム。
【請求項１３】
医療システムにおける表示方法において、
生体内から取得されたデータに基づいて、前記生体内の組織を表した組織画像を形成する工程と、
前記生体内の組織を焼灼治療するための電極群を模擬した電気的なモデルである電荷モデルに基づいて、前記電極群による焼灼治療が及ぶ範囲の目安となる焼灼像を生成する工程と、
前記組織画像と前記焼灼像とからなる合成画像を表示する工程と、
を含む、ことを特徴とする表示方法。
【請求項１４】
情報処理装置において表示方法を実行するプログラムであって、
前記表示方法が、
生体内から取得されたデータに基づいて、前記生体内の組織を表した組織画像を形成する工程と、
前記生体内の組織を焼灼治療するための電極群を模擬した電気的なモデルである電荷モデルに基づいて、前記電極群による焼灼治療が及ぶ範囲の目安となる焼灼像を生成する工程と、
前記組織画像と前記焼灼像とからなる合成画像を表示する工程と、
を含む、ことを特徴とするプログラム。